(57)【要約】【課題】吸引幅ｗを自由に変更できると共に、吸引角θも変更可能なサクションロールを提供する。【解決手段】中空状の固定軸３１、３２を備える内筒２０と、軸受４１、４２を介して回転可能に設けられる外筒５０及び調整軸７０を備える。内筒２０は、外面に外筒５０との間を軸方向にシールする交換可能な吸引角ブロック６３、６４を備える。調整軸７０は、雄ネジが形成されたネジ部７１、７２を備え、ネジ部７１、７２はこれに螺合するナット７３、７４を備え、ナット７３、７４には、内筒２０と外筒５０の間を周方向にシールする交換可能なシール部材がガイド孔２３、２４を通して取り付けられる。【選択図】図１
2010173843.tif 000002
【特許請求の範囲】
【請求項１】
両端部に中空状の固定軸を備える円筒状の内筒と、
前記両固定軸の外側に軸受を介して回転可能に設けられる外筒と、
前記内筒の内側に回転可能に設けられる調整軸とを備えるサクションロールであって、
前記外筒は、ガスが流通するガス吸引部を円筒壁の全周に亘って備え、
前記内筒は、円筒壁外面に、外筒との間を軸方向にシールする交換可能な複数の吸引角ブロックを備え、該吸引角ブロック間に吸引領域を形成し、
前記内筒の円筒壁は、前記吸引領域に内外を連通する複数の吸引孔を備えると共に、その両端部から軸線に沿って内外を連通するガイド孔を備え、
前記調整軸は、前記両ガイド孔に対応する位置に雄ネジが形成されたネジ部を備えると共に、両ネジ部はこれに螺合するナットを備え、
前記両ナットには、前記吸引領域において、前記内筒と前記外筒の間を周方向にシールする交換可能なシール部材が、前記ガイド孔を通して取り付けられ、
前記調整軸を外部から回転して両シール部材間の距離を変更することにより、前記吸引領域の吸引長さを変更可能としたことを特徴とするサクションロール。
【請求項２】
前記調整軸は、その中央部に筒状の吸引管を備え、該吸引管の円筒壁に内外を連通する開口を形成すると共に、前記ネジ部の１つを中空としてガス吸引路を形成したことを特徴とする請求項１に記載のサクションロール。
【請求項３】
前記外筒が、一方の側に駆動軸を備えると共に、該駆動軸が減圧ブロックを備え、該減圧ブロックが前記一方の固定軸及び前記ガス吸引路を経由して前記吸引管に連通していることを特徴とする請求項２に記載のサクションロール。
【発明の詳細な説明】
【技術分野】
【０００１】
本発明は、輪転機及び塗工機における連続紙（成膜塗布紙）の供給等に使用され、搬送物を吸着搬送するサクションロールに関し、特に、搬送物に対する吸引幅を容易に変更できると共に、吸引角も比較的簡単に変更することができるサクションロールに関する。
【背景技術】
【０００２】
輪転機において、搬送物に駆動力を伝える方法としては、フィードロール（メッキ金ロール）にニップロール（ゴムロール）を押え付けて、両ロールの間に搬送物を挟む方法が一般的であった。最近では、品質の向上や生産性のスピードアップが強く求められている。そして、クリーン環境の要求から塗布面への接触を嫌い、吸引により駆動力を伝えるサクションロールに移行しつつある。
【０００３】
従来から、サクションロールとして多くの形式のものが使用されている。中でも、固定した内筒と回転する外筒とを組み合わせた形式のものは、非常に多くの分野で使用されている。例えば、特許文献１には、サクションロールの代表的な一例が記載されている。
【０００４】
図５及び図６に示すように、特許文献１に記載されたサクションロール１１０は、両端部に中空状の固定軸１３１、１３２を備える円筒状の内筒１２０と、両固定軸１３１、１３２の外側に軸受１４１、１４２を介して回転可能に設けられる外筒１５０と、内筒１２０の内側に回転可能に設けられる調整軸１７０とを備えている。
【０００５】
外筒１５０は、ガスが流通するガス吸引部１５５を円筒壁の全周に亘って備えている。外筒１５０の両端部にはサイドフランジ１５１、１５２が設けられ、両端部を閉塞すると共に軸受１４１、１４２が取り付けられている。また、サイドフランジ１５２は駆動軸１５４を備えている。
【０００６】
内筒１２０は、その外表面を外筒１５０の内表面に近接させて形成されると共に、軸線方向に沿ってガイド孔１２３を備えている。これにより、円筒壁の内外を連通して空気の流通が可能な吸引領域１６１を形成している。ガイド孔１２３は、断面がほぼ一様な形状に形成され、軸芯とガイド孔１２３とを結んでできる角度が吸引角θとなる。
【０００７】
調整軸１７０は、中央部を除く両端部側に雄ネジが形成されたネジ部１７１、１７２を備えると共に、夫々のネジ部１７１、１７２はこれに螺合する雌ネジが形成されたシール部材１８１、１８２を備えている。シール部材１８１、１８２は、その外周面が内筒１２０の内表面に近接すると共に、ガイド孔１２３に対応する部分は拡径して外筒１５０の内表面に近接するように形成されている。
【０００８】
ネジ部１７１及び１７２は、互いに逆ネジに形成されている。したがって、調整軸１７０を外部から回転することにより、シール部材１８１及び１８２が、相互に近接又は離間することになるので、吸引領域１６１の吸引幅ｗを変更することができる。
【０００９】
また、調整軸１７０は、その中央部に筒状の吸引管１７５を備えている。この吸引管１７５の円筒壁には内外を連通する開口１７６を形成すると共に、ネジ部１７１を中空として吸引管１７５と中空状の固定軸１３１とを連通するガス吸引路１７７を形成している。
【００１０】
このサクションロール１１０を使用するときは、両固定軸１３１、１３２を固定枠等に取り付け、別途設けた駆動源により駆動軸１５４を回転する。同時に、固定軸１３１を真空ポンプ等の減圧源に接続し、吸引管１７５を通じて吸引領域１６１の両シール部材１８１、１８２間を減圧状態とする。これにより、搬送物を外筒１５０に巻き付かせて、吸着搬送することができる。
【００１１】
そして、搬送物の変更等により吸引幅ｗを変更したい場合には、調整軸１７０を回転することにより、シール部材１８１、１８２をスライドさせることによって、調整することができる。
【００１２】
しかしながら、このサクションロール１１０は、吸引幅ｗは変更できるものの吸引角θを変更することが不可能であり、汎用性の高いサクションロールとすることができない欠点がある。
【先行技術文献】
【特許文献】
【００１３】
【特許文献１】特開平７−１２７６３１号公報
【発明の概要】
【発明が解決しようとする課題】
【００１４】
したがって、本発明の目的は、吸引幅ｗを自由に変更できると共に、吸引角θも変更可能なサクションロールを提供することにある。そして、搬送物の変更や使用する機械の変更に対して、簡単な調整で対応可能な汎用性の高いサクションロールを提供することにある。
【課題を解決するための手段】
【００１５】
上記の課題を解決するために、本発明の請求項１に係るサクションロールは、両端部に中空状の固定軸を備える円筒状の内筒と、前記両固定軸の外側に軸受を介して回転可能に設けられる外筒と、前記内筒の内側に回転可能に設けられる調整軸とを備えるサクションロールであって、前記外筒は、ガスが流通するガス吸引部を円筒壁の全周に亘って備え、前記内筒は、円筒壁外面に、外筒との間を軸方向にシールする交換可能な複数の吸引角ブロックを備え、該吸引角ブロック間に吸引領域を形成し、前記内筒の円筒壁は、前記吸引領域に内外を連通する複数の吸引孔を備えると共に、その両端部から軸線に沿って内外を連通するガイド孔を備え、前記調整軸は、前記両ガイド孔に対応する位置に雄ネジが形成されたネジ部を備えると共に、両ネジ部はこれに螺合するナットを備え、前記両ナットには、前記吸引領域において、前記内筒と前記外筒の間を周方向にシールする交換可能なシール部材が、前記ガイド孔を通して取り付けられ、前記調整軸を外部から回転して両シール部材間の距離を変更することにより、前記吸引領域の吸引長さを変更可能とした手段を採用している。
【００１６】
また、本発明の請求項２に係るサクションロールは、請求項１に記載のサクションロールであって、前記調整軸は、その中央部に筒状の吸引管を備え、該吸引管の円筒壁に内外を連通する開口を形成すると共に、前記ネジ部の１つを中空としてガス吸引路を形成した手段を採用している。また、本発明の請求項３に係るサクションロールは、請求項１又は２に記載のサクションロールであって、前記外筒が、一方の側に駆動軸を備えると共に、該駆動軸が減圧ブロックを備え、該減圧ブロックが前記一方の固定軸及び前記ガス吸引路を経由して前記吸引管に連通している手段を採用している。
【発明の効果】
【００１７】
本発明のサクションロールは、内筒の外表面に平行に取り付けられた吸引角ブロックによって吸引角θが決められる。そして、吸引角ブロックは交換可能であり、取付数や取付位置等を変更することにより吸引角θを自由に変更することができる。また、吸引角ブロックの変更に伴って、吸引幅ｗを調整するシール部材の形状も変更する必要があるが、シール部材も容易に変更することができる。
【００１８】
したがって、本発明のサクションロールは、吸引幅ｗを自由に変更することができると共に、小さな部品を交換することにより吸引角θを変更することができるサクションロールとすることができる。そして、搬送物の変更や機械の変更に対して、部品交換または部品調整で対応可能であり、汎用性の高いサクションロールとすることができる。
【図面の簡単な説明】
【００１９】
【図１】本発明のサクションロールの一例を示す概略全体断面図である。
【図２】図１のＡ−Ａ矢視、Ｂ−Ｂ矢視、Ｃ−Ｃ矢視及びＤ−Ｄ矢視の概略断面図である。
【図３】内筒及びシール部材を示す概略斜視図である。
【図４】内筒及びシール部材の他の例を示す概略断面図である。
【図５】従来のサクションロールの一例を示す概略全体断面図である。
【図６】図５のＸ−Ｘ矢視の概略断面図である。
【発明を実施するための形態】
【００２０】
以下、本発明を図に示す実施例により説明するが、これらの図は本発明を何ら限定するものではない。図１は、本発明のサクションロール１０の概略断面図であり、図２は、図１における各矢視の概略断面図である。図３は、内筒２０の外表面に取り付けられるシール部材８１等を示す概略斜視図である。
【００２１】
本発明のサクションロール１０は、前述のサクションロール１１０と同様に、両端部に中空状の固定軸３１、３２を備える円筒状の内筒２０と、両固定軸３１、３２の外側に軸受４１、４２を介して回転可能に設けられる外筒５０と、内筒２０の内側に回転可能に設けられる調整軸７０とを備えている。
【００２２】
外筒５０は、両端部を除き、ガスが流通するガス吸引部５５を円筒壁の全周に亘って備えている。ガス吸引部５５は、円筒壁に多数の孔５６を穿設して形成することができる。搬送物に対する吸引力を一様にするためには、直径が１〜５ｍｍ程度の多数の孔５６を穿設した外筒５０の外周面に、さらに通気構造のニッケルメッシュスリーブ等で被覆することが好ましい。このガス吸引部５５の長さが、搬送物に対する吸着幅ｗの最大値となる。
【００２３】
外筒５０の両端部には、サイドフランジ５１、５２が設けられ、両端部を閉塞すると共に軸受４１、４２が取り付けられている。また、サイドフランジ５1には駆動軸５４が取り付けられ、プーリー４３等を取り付けて駆動することができる。
【００２４】
内筒２０は、円筒壁外面に、外筒５０との間を軸方向にシールする交換可能な２本の吸引角ブロック６３、６４を備え、両吸引角ブロック６３、６４間に吸引領域６１を形成している。すなわち、吸引角ブロック６３、６４の対向する２側面は、その内側に吸引領域６１を形成し、内筒２０の軸線と結んでできる角度が吸引角θとなる。
【００２５】
内筒２０の円筒壁は、吸引領域６１に内外を連通する複数の吸引孔２２を備えると共に、その両端部から軸線に沿って内外を連通するガイド孔２３、２４を備え、後述するシール部材８１、８２が軸線に沿ってスライドするときに、これをガイドする。
【００２６】
調整軸７０は、両ガイド孔２３、２４に対応する位置に雄ネジが形成されたネジ部７１、７２を備えている。そして、ネジ部７１、７２に形成される雄ネジは、互いに逆ネジとして形成されている。また、両ネジ部７１、７２は、これに螺合する雌ネジを備えたナット７３、７４を備えている。調整軸７０の一端は、固定軸３２から機外に延長され、機外から手動又は自動で回転することができる。
【００２７】
両ナット７３、７４には、内筒２０内を摺動するスライドブッシュ７５、７６が取り付けられ、さらに、スライドブッシュ７５、７６には、内筒２０と外筒５０との間を周方向にシールする交換可能なシール部材８１、８２が、ガイド孔２３、２４を通して取り付けられている。したがって、両シール部材８１、８２の間の距離が、吸引領域６１の軸方向長さ、すなわち吸引幅ｗとなる。
【００２８】
図３に示すように、内筒２０の外表面には、軸線に沿って浅い溝が形成され、この溝に吸引角ブロック６３、６４が嵌め込まれるとともに、ネジで固定されている。また、吸引角ブロック６３、６４の間には、軸線に沿って３つのガイド孔２３、２３、２３が形成され、これらの間には吸引孔２２が形成されている。
【００２９】
３つのガイド孔２３、２３、２３には夫々Ｔ字型のシール部材８１、８１、８１が差し込まれ、内筒２０内のスライドブッシュにネジで固定されている。このように、シール部材８１を分割することにより、製作、取り付け及び交換を容易にすることができる。
【００３０】
機外から調整軸７０を回転すると、シール部材８１、８２がガイド孔２３、２４によってガイドされるので、ナット７３、７４は周方向に回転することはできず、軸方向にスライドすることになる。すなわち、調整軸７０を回転することにより、シール部材８１、８２が、相互に接近又は離間することになるので、これによって吸引幅ｗが調整されることになる。
【００３１】
本発明のサクションロール１０は、交換可能な吸引角ブロック６３、６４及び交換可能なシール部材８１を使用して吸引領域６１を形成することを特徴としている。すなわち、これによって、吸引幅ｗを調整することができると共に、簡単に吸引角θを変更することができる。
【００３２】
例えば、内筒２０が、３個以上の吸引角ブロックを取り付け可能な状態に形成し、適当な間隔を選択して２つの吸引角ブロックを取り付けることにより、吸引角θを選択することができる。
【００３３】
吸引角θの変更について、さらに好ましい手段を図４により説明する。
図４は、内筒２０に４本の吸引角ブロック６３ａ、６３ｂ、６４ａ、６４ｂを取り付けた場合を示している。夫々の吸引角ブロック間には、ガイド孔２３ａ、２３ｂ、２３ｃが設けられている。
【００３４】
図４（Ａ）は、吸引角ブロック６３ｂ、６４ａ間を吸引領域６１とした場合を示している。吸引角ブロック６３ａと６３ｂとの間、及び吸引角ブロック６４ａと６４ｂとの間には、シールシート６５、６６を取り付けることにより、吸引孔２３ａ、２３ｃを閉塞している。そして、吸引角ブロック６３ｂ、６４ａ間に、シール部材８１ｂを取り付けることにより、狭い吸引角θを形成することができる。
【００３５】
図４（Ｂ）は、吸引角ブロック６３ａ、６４ｂ間を吸引領域６１とした場合を示している。シールシート６５、６６を取り外すと共に、ここにシール部材８１ａ、８１ｃが取り付けられている。これによって、吸引角ブロック６３ａ、６４ｂ間に、広い吸引角θを形成することができる。
【００３６】
吸引角θを決める吸引角ブロック６３ａ、６３ｂ、６４ａ、６４ｂは、すべり特性に優れた部品を用いており、樹脂系材料を使用しているので、入手及び加工が容易である。そして、内筒２０の表面にネジ止めで取り付けられるので、容易に取付及び交換をすることができる。したがって、図４に示すように、吸引角θを容易に変更することができる。
【００３７】
調整軸７０は、その中央部に筒状の吸引管７７を備え、吸引管７７の円筒壁に内外を連通する開口７８を形成している。また、ネジ部７１を中空としてガス吸引路７９を形成している。
【００３８】
外筒５０は、一方の側に駆動軸５４を備えると共に、駆動軸５４が減圧ブロック５７を備えて、真空ポンプ等の減圧源に接続可能としている。そして、減圧ブロック５７が固定軸３１及びガス吸引路７９を経由して吸引管７７に連通している。したがって、減圧ブロックに接続した真空ポンプ等により、吸引管７７内を経由して、吸引領域６１を減圧することができる。
【００３９】
なお、本例では、ネジ部７１を中空としてガス吸引路７９を形成したが、ネジ部７２を中空として、固定軸３２を経由して減圧することも可能である。
【００４０】
以上のように、本発明のサクションロール１０は、部品点数が少ないために材料費が安価であり、構造が簡単であるために製作費を低減することができる。
【符号の説明】
【００４１】
１０、１１０  サクションロール
２０、１２０  内筒
２２  吸引孔
２３、２４、１２３  ガイド孔
３１、３２、１３１、１３２  固定軸
４１、４２、１４１、１４２  軸受
４３  プーリー
５０、１５０  外筒
５１、５２、１５１、１５２  サイドフランジ
５４、１５４  駆動軸
５５、１５５  ガス吸引部
５６  孔
５７  減圧ブロック
６１、１６１  吸引領域
６３、６４  吸引角ブロック
６５、６６  シールシート
７０、１７０  調整軸
７１、７２、１７１、１７２  ネジ部
７３、７４  ナット
７５、７６  スライドブッシュ
７７、１７５  吸引管
７８、１７６  開口
７９、１７７  ガス吸引路
８１、８２、１８１、１８２  シール部材
【図１】
2010173843.tif 000003
【図２】
2010173843.tif 000004
【図３】
2010173843.tif 000005
【図４】
2010173843.tif 000006
【図５】
2010173843.tif 000007
【図６】
2010173843.tif 000008